(57)【要約】  【課題】  非常に高い滑り止め効果を発揮することができる肩掛け用滑り止め帯体を提供する。  【解決手段】  滑り止め帯体１０は、帯状の基部１４と、該基部１４の表面から突出する多数の凸部１８と、を有する。凸部１８を軟質材料から構成した略円柱または円錐台状のものとし、その凸部１８の高さを４〜６ｍｍとし、その凸部１８の断面の直径を２〜５ｍｍとし、多数の凸部１８が形成された部分の帯体の長手方向の長さを２５０ｍｍ以上とする。【選択図】  図１
2005348826.tif 000002
【特許請求の範囲】
【請求項１】
帯状の基部と、該基部の表面から突出する多数の凸部と、を有する肩掛け用滑り止め帯体であって、
前記凸部を軟質材料から構成した略円柱または円錐台状のものとし、その凸部の高さを４〜６ｍｍとし、その凸部の断面の直径を２〜５ｍｍとし、多数の凸部が形成された部分の帯体の長手方向の長さを２５０ｍｍ以上とすることを特徴とする肩掛け用滑り止め帯体。
【請求項２】
前記軟質材料は、軟質ポリ塩化ビニル樹脂を主成分として含むことを特徴とする請求項１記載の肩掛け用滑り止め帯体。
【請求項３】
前記凸部の頂部は平坦面ではなく曲面となることを特徴とする請求項１または２記載の肩掛け用滑り止め帯体。
【発明の詳細な説明】
【技術分野】
【０００１】
本発明は、ショルダーバック、カメラ等の肩掛け紐または肩掛け紐に着脱可能に取り付けるアタッチメントといった肩掛け用帯体において、滑り止め機能を有する肩掛け用滑り止め帯体に関する。
【背景技術】
【０００２】
従来、この種の滑り止め機能を有する肩掛け用帯体としては、様々な提案がなされており、その中で、肩に接触する部分に多数の凸部を設けるものも提案されている。
【０００３】
例えば、特許文献１（実開昭６３−１９４６２９号公報）に記載された考案は、片面に多数の小突起を設けたラバーシートを肩掛け紐の肩に当たる部分に取り付けた構成を開示する。
【０００４】
特許文献２（実開昭５５−１６０６３０号公報）に記載された考案は、縦８５ｍｍ、横４８ｍｍ、厚さ０．８ｍｍの平面盤に径３ｍｍ、高さ３ｍｍの丸柱の頭部を平坦にしたものを縦１０個、横３列または４列を等間隔に成形したゴム製滑り止め器を開示する。
【０００５】
特許文献３（実開平６−６６３５４号公報）に記載された考案は、肩紐の内側に凹凸のあるゴム、繊維または樹脂素材の滑り止めを取り付けた構成を開示する。また、その図面には、凹凸をつけた部分の長さを２０ｃｍとすることが開示されている。
【０００６】
特許文献４（実開昭５９−９７０３７号公報）に記載された考案は、合成ゴムからなるシート体表面に多数の係止突起を等間隔に配置した滑り止めシートを開示する。この係止突起の形状は略円柱形状となっており、頂部を水平にし、係止突起の高さを約１ｍｍ程度にすることが記載される。
【０００７】
また、凸部を設ける以外の構成として、植毛を設けたり（特許文献５（実開昭５５−１８０７号公報））、織物に一方向の方向性をもたせた毛を取り付けたり（特許文献６（特開２０００−１３９５４２号公報）したものが知られている。
【０００８】
また、現在市販のショルダーバックの肩掛け用帯体でも、様々な形状の凹凸が設けられている。
【０００９】
【特許文献１】実開昭６３−１９４６２９号公報
【特許文献２】実開昭５５−１６０６３０号公報
【特許文献３】実開平６−６６３５４号公報
【特許文献４】実開昭５９−９７０３７号公報
【特許文献５】実開昭５５−１８０７号公報
【特許文献６】特開２０００−１３９５４２号公報
【発明の開示】
【発明が解決しようとする課題】
【００１０】
しかしながら、このように多くの提案がなされているにもかかわらず、未だに確実に滑り止めを行なうことができる肩掛け帯体は実用化されていないのが現状である。この原因として、本発明者は、単に凹凸をつけて摩擦力を増加させるのでは、不十分であり、その凸部の構成について詳細な検討が必要で、従来の発明及び考案は、その検討について十分に行われていなかったとの結論に至った。
【００１１】
本発明はかかる課題に鑑みなされたもので、その目的は、非常に高い滑り止め効果を発揮することができる肩掛け用滑り止め帯体を提供することである。
【課題を解決するための手段】
【００１２】
前述した目的を達成するために、請求項１記載の発明は、帯状の基部と、該基部の表面から突出する多数の凸部と、を有する肩掛け用滑り止め帯体であって、
前記凸部を軟質材料から構成した略円柱または円錐台状のものとし、その凸部の高さを４〜６ｍｍとし、その凸部の断面の直径を２〜５ｍｍとし、多数の凸部が形成された部分の帯体の長手方向の長さを２５０ｍｍ以上とすることを特徴とする。
【００１３】
請求項２記載の発明は、請求項１記載の前記軟質材料が、軟質ポリ塩化ビニル樹脂を主成分として含むことを特徴とする。
【００１４】
請求項３記載の発明は、請求項１または２記載の前記凸部の頂部が平坦面ではなく曲面となることを特徴とする。
【発明の効果】
【００１５】
本発明者は、従来公報で示されたような単に凹凸を設ければよいということではなく、摩擦増加のための構成を適切に設定することで、効果に歴然とした差が出ることを発見した。その構成として、凸部の形状及び寸法が重要であることを見出した。即ち、この凸部を軟質材料から構成した略円柱または円錐台状のものとし、凸部の高さを４〜６ｍｍとし、その凸部の断面の直径を２〜５ｍｍとし、多数の凸部が形成された部分の帯体の長手方向の長さを２５０ｍｍ以上とすることで、肩に接触させたときに、肩からズレ落ちることを防ぐことができる。
【発明を実施するための最良の形態】
【００１６】
以下、図面を用いて本発明の実施の形態を説明する。
【００１７】
図１は、本発明の肩掛け用滑り止め帯体の全体斜視図である。この例では、肩掛け用滑り止め帯体１０は、シャルダーバック、カメラ等の肩掛け紐２０とは別体のもので構成され、該肩掛け紐２０に着脱可能なアタッチメントとして構成されているが、これに限るものではなく、肩掛け紐２０に一体的に構成することも勿論可能である。
【００１８】
肩掛け用滑り止め帯体１０は、軟質材料からなる帯状の基部１２、１４と、該基部１４の表面から一体に突出する多数の凸部１８とを有している。
【００１９】
基部１２は、上下に２枚のシートが張り合わされた構成をなしており、その一方のシートに基部１４及び凸部１８が一体に成形されると共に、その長手方向の両側に肩掛け紐２０が挿通するスリット１２ａ、１２ａが形成されている。また、基部１２の他方のシートには、図２に示したように、複数の開口１２ｂ、１２が形成されており、スリット１２ａを挿通した肩掛け紐２０が開口１２ｂ、１２ｂを挿通して、基部１２の内外を出入りすることで、肩掛け紐２０が滑り止め帯体１０と一体的に連結される。
【００２０】
基部１２は、基部１４及び凸部１８よりも硬さ（硬度）の大きい可撓性の軟質材料から構成され、基部１４及び凸部１８は硬さ（硬度）の小さい可撓性の軟質材料から構成される。
【００２１】
基部１４及び凸部１８を構成する軟質材料としては、軟質ポリ塩化ビニル樹脂、ポリプロピレン樹脂、ポリエチレン樹脂のような熱可塑性樹脂を主成分とする軟質樹脂、天然ゴムや合成ゴム（シリコーンゴムを含む）のような加硫ゴム、熱可塑性エラストマ及びこれらのブレンドを含む任意の材料を使用することができる。そして、凸部１８を構成する材料の硬さは、ショアＡ硬度で２０度〜９０度程度とするとよい。
【００２２】
この凸部１８は、略円柱状または、図３に拡大して示したように円錐台状とするとよく、好ましくは、図３に示すように、基部１４から離れるに従って漸次小径となる円錐台状とするとよい。そして、凸部１８の頂部は平坦面ではなく、椀状の曲面となっていることが好ましい。
【００２３】
この凸部１８の寸法は、その根元部においてその直径が２〜５ｍｍ、好ましくは約３ｍｍ程度とするとよく、また、高さが４〜６ｍｍとするとよい。この範囲から逸脱して直径が小さくなりまた高さが高くなると、凸部１８が肩に接触したときに屈曲する傾向となり、十分な摩擦力が得られず滑り止め効果がなくなる。また、直径が小さすぎると、凸部１８が肩の衣服内に侵入して衣服を損傷させるために好ましくない。反対に、直径が大きくなり高さが低くなると、凸部１８の変形がしにくくなり、十分な摩擦力が得られず滑り止め効果がなくなる。基部１４の厚みは２ｍｍ程度とするとよい。
【００２４】
また、図４に示すように、隣接する凸部１８の間隔は、５〜１５ｍｍとするとよく、好ましくは、７ｍｍ〜１１ｍｍ程度とするとよく、凸部１８の基部１４における平均占有密度は、７〜４０％程度となるようにするとよい。
【００２５】
また、凸部１８が形成されている部分の長手方向の長さは、２５０ｍｍ以上とするとよい。図５に示したように、肩掛け用滑り止め帯体１０が肩に接触したときに、肩の前部、頂部及び後部の３箇所にそれぞれに接触することが重要であり、この３箇所に確実に接触する長さとして２５０ｍｍ以上、好ましくは３００ｍｍ以上とするとよい。短すぎると、ほとんど肩の頂部にのみ接触しないために、好ましくない。
【００２６】
また、凸部１８が形成されている部分の幅は、肩掛け紐２０の幅に合わせたものとするとよく、任意に設定することができる。
【００２７】
以上のように構成される肩掛け用滑り止め帯体１０においては、使用者の肩に肩掛け紐２０をかけた状態で、前述のように、使用者の肩の前部、頂部及び後部に凸部１８が接触することになる。この凸部１８は、十分に高さがあるために、被接触部分と十分な接触面積をとることができ、また、適度な圧力を以って接触することができるために、その摩擦力が十分高くなっている。このため、肩を４５度以上傾斜させたとしても、肩掛け紐２０は落下せずに、肩掛け用滑り止め帯体１０は肩に停止した状態を維持することができ、非常に高い滑り止め効果を発揮することができる。また、適度な寸法の凸部１８が肩に接触することで、肩こり防止効果も発揮することができる。
【図面の簡単な説明】
【００２８】
【図１】本発明による肩掛け用滑り止め帯体の肩に接触する部分側から見た全体斜視図である。
【図２】図１の肩掛け用滑り止め帯体の図１と反対側の面から見た全体斜視図である。
【図３】図１の肩掛け用滑り止め帯体の１つの凸部付近の拡大断面図である。
【図４】図１の肩掛け用滑り止め帯体の部分平面図である。
【図５】図１の肩掛け用滑り止め帯体の使用状態を表す図である。
【符号の説明】
【００２９】
１０  肩掛け用滑り止め帯体
１２  基部
１４  基部
１８  凸部
【図１】
2005348826.tif 000003
【図２】
2005348826.tif 000004
【図３】
2005348826.tif 000005
【図４】
2005348826.tif 000006
【図５】
2005348826.tif 000007